(57)【要約】【課題】中心窩を治療用レーザ光で照射してしまうことのないレーザ治療用眼科装置を提供することにある。【解決手段】治療用のレーザ光を発振する光凝固レーザ装置１５０と、眼底Ｅｆを照明する照明光学系１００と、その眼底Ｅｆに固視標を投影する固視標投影光学系１６０と、眼底Ｅｆを観察する観察撮影光学系１２０と、前記レーザ光を眼底Ｅｆの治療部位に照射する照射光学系１７０と、観察撮影光学系１２０によって観察される眼底像を表示する表示部１１Ｇとを備え、照射光学系１７０は、前記レーザ光を眼底Ｅｆに対して上下左右に移動させる偏向手段１４１を有するレーザ治療用眼科装置１０であって、固視標投影光学系１６０による眼底Ｅｆへの固視標の投影位置に基づいて、眼底Ｅｆの固視点位置を求め、この固視点位置を囲む所定範囲の領域を前記レーザ光の照射禁止区域としてモニタ１１に表示する。【選択図】図１
2010148635.tif 000002
【特許請求の範囲】
【請求項１】
治療用のレーザ光を発振するレーザ光発振手段と、眼底を照明する照明光学系と、その眼底に固視標を投影する固視標投影光学系と、前記眼底を観察する観察光学系と、前記レーザ光を前記眼底の治療部位に照射する照射光学系と、前記観察光学系によって観察される眼底像を表示する表示部とを備え、前記照射光学系は、前記レーザ光を眼底に対して上下左右に偏向させる偏向手段を有するレーザ治療用眼科装置であって、
前記固視標投影光学系による眼底への固視標の投影位置に基づいて、眼底の固視点位置を求め、
この固視点位置を囲む所定範囲の領域を前記レーザ光の照射禁止区域として前記表示部に表示することを特徴とするレーザ治療用眼科装置。
【請求項２】
前記照射光学系は、前記表示部に表示される照射禁止区域内に対応した眼底に向けてレーザ光の照射を禁止することを特徴とする請求項１に記載のレーザ治療用眼科装置。
【請求項３】
前記表示部に貼着され且つその表示部に表示される眼底像に基づいて前記レーザ光の照射領域を指定するタッチパネルを備え、
前記表示部に表示される照射禁止区域内では、前記タッチパネルによって照射領域の指定が禁止されることを特徴とする請求項１または請求項２に記載のレーザ治療用眼科装置。
【請求項４】
前記観察光学系による眼底像に基づいて中心窩を求め、この中心窩を囲む所定範囲を前記レーザ光の照射禁止範囲として前記表示部に表示することを特徴とする請求項１ないし請求項３のいずれか１つに記載のレーザ治療用眼科装置。
【請求項５】
前記照射光学系は、前記表示部に表示される照射禁止範囲内に対応した眼底に向けてレーザ光の照射を禁止することを特徴とする請求項４に記載のレーザ治療用眼科装置。
【請求項６】
前記照射禁止区域の範囲の大きさを変えられるようにしたことを特徴とする請求項１ないし請求項３のいずれか１つに記載のレーザ治療用眼科装置。
【請求項７】
照射禁止範囲の大きさを変えられるようにしたことを特徴とする請求項４または請求項５に記載のレーザ治療用眼科装置。
【発明の詳細な説明】
【技術分野】
【０００１】
この発明は、レーザ光を眼底の治療部位に照射するレーザ治療用眼科装置に関する。
【背景技術】
【０００２】
従来から、レーザ光で眼底の治療部位を照射して治療を行うレーザ治療用眼科装置が知られている（特許文献１参照）。
【０００３】
かかるレーザ治療用眼科装置は、観察用のレーザ光で眼底を走査してモニタ上に眼底像を表示し、このモニタ上に表示された眼底像上の治療部位をカーソルなどを利用して指定すると、この指定位置に治療用レーザ光を照射するようになっている。
【特許文献１】特開２００７−１８１６３１号公報
【発明の開示】
【発明が解決しようとする課題】
【０００４】
このレーザ治療用眼科装置では、患者のまぶしさを軽減するために、治療の際の眼底観察には赤外蛍光を用いるが、この赤外蛍光で観察した場合、中心窩（黄斑部中心）が観察し難くなり、本来照射することが禁忌とされている中心窩へ誤ってレーザ照射してしまう虞があった。また、斜位眼や回旋のある眼などは、中心窩と固視点（位置）が異なる場合があり、本来照射してはいけない固視点周辺を誤って照射し、凝固させてしまう虞があった。
【０００５】
この発明の目的は、中心窩やその周辺、および固視点部位を治療用レーザ光で凝固してしまうことのないレーザ治療用眼科装置を提供することにある。
【課題を解決するための手段】
【０００６】
請求項１の発明は、治療用のレーザ光を発振するレーザ光発振手段と、眼底を照明する照明光学系と、その眼底に固視標を投影する固視標投影光学系と、前記眼底を観察する観察光学系と、前記レーザ光を前記眼底の治療部位に照射する照射光学系と、前記観察光学系によって観察される眼底像を表示する表示部とを備え、前記照射光学系は、前記レーザ光を眼底に対して上下左右に偏向させる偏向手段を有するレーザ治療用眼科装置であって、
前記固視標投影光学系による眼底への固視標の投影位置に基づいて、眼底の固視点位置を求め、
この固視点位置を囲む所定範囲の領域を前記レーザ光の照射禁止区域として前記表示部に表示することを特徴とする。
【発明の効果】
【０００７】
この発明によれば、中心窩やその周辺、および固視点部位を治療用レーザ光で凝固してしまうことを防止することができる。
【発明を実施するための最良の形態】
【０００８】
以下、この発明に係るレーザ治療用眼科装置の実施の形態である一実施例を図面に基づいて説明する。
【実施例】
【０００９】
[構成]
図１に示すレーザ治療用眼科装置１０は、治療用のレーザ光（光凝固レーザ光）を発振する光凝固レーザー装置（レーザ光発振手段）１５０と、被検眼Ｅの眼底Ｅｆを照明する照明光学系１００と、その眼底Ｅｆを観察・撮影するための観察撮影光学系（観察光学系）１２０と、眼底Ｅｆに固視標を投影する固視標投影光学系１６０と、光凝固レーザー装置１５０のレーザ光を眼底Ｅｆの治療部位に照射する照射光学系１７０と、観察撮影光学系１２０によって観察される眼底像を表示するモニタ（表示部）１１と、眼底Ｅｆの固視標の投影位置に基づいて中心窩位置を求め、この中心窩位置を中心にした所定の領域をレーザ光の照射禁止区域としてモニタ１１に表示する演算制御装置２００とを備えている。
【００１０】
照明光学系１００と観察撮影光学系１２０と固視標投影光学系１６０と照射光学系１７０とはレーザ治療用眼科装置本体（眼底カメラ本体）３１１内に内臓されており、眼底カメラ本体３１１は、被検者の顎受け台（図示せず）を設けたベース台（図示せず）に設けられており、前記顎受け台の被検者の被検眼Ｅに対して左右方向（Ｘ方向）、上下方向（Ｙ方向）および前後方向（Ｚ軸方向）に移動可能となっている。
【００１１】
また、モニタ１１は眼底カメラ本体３１１に取り付けられており、検者はモニタ１１の表示画面（表示部）１１Ｇに表示される眼底像Ｅｆ′を観察することができるようになっている。
【００１２】
光凝固レーザー装置１５０は、例えば５３２ｎｍの波長のレーザ光（治療用レーザ光）を発振するものであり、このレーザ光は光ファイバ１５２に導入されて出射端１５２ａから出射される。
【００１３】
照明光学系１００は、ハロゲンランプ１０１やキセノンランプ１０３等の光源と、光源からの照明光を集光するコンデンサレンズ１０２，１０４と、エキサイタフィルタ１０５，１０６と、リング透光板１０７と、ミラー１０８と、ＬＣＤ１０９と、照明絞り１１０と、リレーレンズ１１１と、孔明きミラー１１２と、対物レンズ１３等とを有している。
【００１４】
ハロゲンランプ１０１は眼底Ｅｆを観察している際に発光させておくものであり、キセノンランプ１０３は眼底Ｅｆを撮影する際にフラッシュ光として発光させるものである。
【００１５】
エキサイタフィルタ１０５はＦＡＧ（フルオレセイン蛍光造影）撮影時に光路上に配置され、エキサイタフィルタ１０６はＩＣＧ（インドシアニングリーン蛍光造影）撮影時に光路上に配置される。これらエキサイタフィルタ１０５，１０６の光路上への挿入・離脱は図示しないソレノイドで行なわれ、カラー観察・撮影時にはともに光路上から離脱される。
【００１６】
リング透光板１０７は、被検眼Ｅの瞳孔と共役な位置に配置されており、照明光学系１００の光軸を中心としたリング透孔部１０７ａを有している。
【００１７】
ＬＣＤ１０９は、被検眼Ｅの固視を行うための固視標（図示せず）等を表示するものである。
【００１８】
照明絞り１１０は、フレア防止等のために照明光の一部を遮断する絞り部材であり、光軸方向に移動可能となっている。この移動により、眼底Ｅｆの照明領域が調整される。
【００１９】
孔明きミラー１１２は、照明光学系１００の光軸と観察撮影光学系１２０の光軸とを合成する光学素子であり、中心領域に孔１１２ａが開口されている。
【００２０】
観察撮影光学系１２０は、対物レンズ１３と、孔明きミラー１１２と、撮影絞り１２１と、バリアフィルタ１２２，１２３と、変倍レンズ１２４と、リレーレンズ１２５と、撮影レンズ１２６と、ミラー１３４と、視野レンズ１２８と、ハーフミラー１３５と、リレーレンズ１３１と、ダイクロイックミラー１３６と、撮影レンズ１３３と、テレビカメラ等の撮像装置２０と、反射ミラー１３７と、撮影レンズ１３８と、テレビカメラ等の撮像装置１２等とを有している。
【００２１】
バリアフィルタ１２２はＦＡＧ撮影のとき光路上に配置され、バリアフィルタ１２３はＩＣＧ撮影のとき光路上に配置される。これらバリアフィルタ１２２，１２３の光路上への挿入・離脱は図示しないソレノイドで行なわれ、カラー観察・撮影時にはともに光路上から離脱される。
【００２２】
変倍レンズ１２４は、図示しない駆動機構によって観察撮影光学系１２０の光軸方向に移動可能となっている。変倍レンズ１２４の光軸方向への移動により、観察倍率や撮影倍率の変更、眼底画像のフォーカス等が行われる。
【００２３】
ダイクロイックミラー１３６は、可視領域の波長を有する照明光（波長約４００ｎｍ〜７００ｎｍの可視光）を透過させるとともに、近赤外領域の波長を有する照明光（波長約７００ｎｍ〜８００ｎｍの近赤外光）を反射するようになっている。
【００２４】
撮像装置２０は、ＣＣＤやＣＭＯＳ等の撮像素子２０ａを有している。この撮像素子２０ａは近赤外光の感度を有している。すなわち、撮像装置２０はいわゆる赤外線カメラである。
【００２５】
撮像装置２０は、撮像した近赤外光の眼底画像の画像信号を演算制御装置２００とモニタ１１へ送るようになっている。
【００２６】
モニタ１１は、撮像装置２０からの画像信号に基づいて近赤外光の眼底画像Ｅｆ′を表示画面１１Ｇに表示する。
【００２７】
このモニタ１１の表示画面１１Ｇにタッチパネル１１Ｔが貼着されており、このタッチパネル１１Ｔのタッチ操作によってレーザ光の照射禁止区域を設定することができるようになっている。タッチパネル１１Ｔのタッチ信号は演算制御装置２００へ送られる。
【００２８】
撮像装置１２は、ＣＣＤやＣＭＯＳ等の撮像素子１２ａを有している。この撮像素子１２ａは可視光の感度を有している。すなわち、撮像装置１２はいわゆる通常のテレビカメラである。
【００２９】
固視標投影光学系１６０は、内部固視標を表示するＬＣＤ１４０と、集光レンズ１３９と、ハーフミラー１３５と、視野レンズ１２８と、ミラー１３４と、撮影レンズ１２６と、リレーレンズ１２５と、変倍レンズ１２４と、撮影絞り１２１と、孔明きミラー１１２と、対物レンズ１３とを有している。
【００３０】
照射光学系１７０は、光ファイバ１５２の出射端１５２ａから出射されるレーザ光を集光して平行光束にするレンズ１４２と、このレンズ１４２によって平行光束にされたレーザ光を眼底Ｅｆの任意の部位へ照射させるための偏向ユニット（偏向手段）１４１と、ダイクロイックミラー１３６と、リレーレンズ１３１と、ハーフミラー１３５と、視野レンズ１２８と、ミラー１３４と、撮影レンズ１２６と、リレーレンズ１２５と、変倍レンズ１２４と、撮影絞り１２１と、孔明きミラー１１２と、対物レンズ１３等とを有している。
【００３１】
偏向ユニット１４１は、図２に示すように、レーザ光を水平方向に偏向させる水平用ガルバノミラー１４１Ａと、レーザ光を垂直方向へ偏向させる垂直用ガルバノミラー１４１Ｂと、ミラー１４１Ｃ，１４１Ｄ等とを有している。
【００３２】
水平用ガルバノミラー１４１Ａは、紙面と平行な軸１４１ａを中心に回動することによりレーザ光を水平方向に偏向させるものである。垂直用ガルバノミラー１４１Ｂは、紙面と直交する方向の軸１４１ｂを中心に回動させることによりレーザ光を垂直方向に偏向させるものである。
【００３３】
そして、水平用ガルバノミラー１４１Ａおよび垂直用ガルバノミラー１４１Ｂの回動角によって、眼底Ｅｆ上のレーザ光の照射部位が決定される。
【００３４】
水平用ガルバノミラー１４１Ａ，垂直用ガルバノミラー１４１Ｂは、図３に示すミラー駆動機構２４１，２４２によって回動される。
【００３５】
演算制御装置２００は、図３に示すように、ミラー駆動機構２４１，２４２や光凝固レーザー装置１５０等を制御する制御部２１０と、撮像装置１０，１２からの画像信号に基づいて眼底画像を形成する処理を行う画像形成部２２０と、画像処理部２３０等とを有している。
【００３６】
制御部２１０は、操作部の操作に基づいてエキサイタフィルタ１０５，１０６やバリアフィルタ１２２，１２３等の光路への挿入・離脱や変倍レンズ１２４の光軸方向への移動やハロゲンランプ１０１およびキセノンランプ１０３の発光の制御を行うようになっている。
【００３７】
画像処理部２３０は、固視標の位置や中心窩の位置から照射禁止区域を示す照射禁止区域画像を形成したり、タッチパネル１１Ｔから出力される信号や操作部３００の操作に基づいて各種の画像を形成したりする。この画像処理部２３０で形成された種々の画像は眼底画像に重ねられてモニタ１１に表示される。
［動  作］
次に、上記のように構成されるレーザ治療用眼科装置１０の動作について説明する。
【００３８】
先ず、エキサイタフィルタ１０５，１０６やバリアフィルタ１２２，１２３を光路から離脱させておき、反射ミラー１３７を破線位置（光路）に挿入しておく。次に、ハロゲンランプ１０１を発光させる。ハロゲンランプ１０１で発光した照明光は、コンデンサレンズ１０２，１０４、リング透光板１０７、ミラー１０８、ＬＣＤ１０９、照明絞り１１０、リレーレンズ１１１、孔明きミラー１１２および対物レンズ１３を介して被検眼Ｅの眼底Ｅｆを照明する。
【００３９】
眼底Ｅｆを照明した照明反射光は、対物レンズ１３、孔明きミラー１１２、撮影絞り１２１と、変倍レンズ１２４、リレーレンズ１２５、撮影レンズ１２６、ミラー１３４、視野レンズ１２８、ハーフミラー１３５、リレーレンズ１３１、ダイクロイックミラー１３６、反射ミラー１３７および撮影レンズ１３８を介して撮像装置１２の撮像素子１２ａ上に達し、この撮像素子１２ａ上に眼底像が結像される。
【００４０】
撮像装置１２からは眼底画像の画像信号が出力されて演算制御装置２００の画像形成部２２０へ入力される。画像形成部２２０は、入力された画像信号に基づいて眼底画像を形成し、この眼底画像Ｅｆ′が図４に示すようにモニタ１１の表示画面１１Ｇに表示される。また、モニタ１１の表示画面１１Ｇには、レーザ光の照射可能範囲を示す境界線像Ｌ３がモニタ１１の表示画面１１Ｇに表示される。これは、レーザ光を孔明きミラー１１２の孔１１２ａを介して眼底Ｅｆを照射するため、その照射範囲が限られてしまい、これを検者に知らせるとともにその照射範囲を分かり易くするためである。
【００４１】
そして、操作部３００の操作によりＬＣＤ１４０に固視標を表示させると、この固視標が集光レンズ１３９、ハーフミラー１３５、視野レンズ１２８、ミラー１３４、撮影レンズ１２６、リレーレンズ１２５、変倍レンズ１２４、撮影絞り１２１、孔明きミラー１１２および対物レンズ１３を介して被検眼Ｅの眼底Ｅｆに投影される。そして、ＬＥＤ１４０の表示位置情報から演算し、図４に示すように、モニタ１１の表示画面１１Ｇに固視標Ｋが眼底画像Ｅｆ′上に表示される。
【００４２】
固視標Ｋを被検者に視認させると、被検眼Ｅが正常な場合、固視点と中心窩Ｑとが一致しているので、固視標Ｋと被検眼Ｅの中心窩Ｑとが一致する。なお、中心窩Ｑは小さい黒点として観察される。
【００４３】
被検眼Ｅが正常でない場合、つまり、斜視や角膜の異常などにより固視点と中心窩Ｑとがずれている場合、図５に示すように、固視標Ｋと中心窩Ｑとがずれて眼底画像Ｅｆ′上に表示される。なお、固視標Ｋの中の点Ｐが固視点である。
【００４４】
固視点が確認できたら、固視点の確認を確定する例えば操作部３００の確定キーを操作する。
【００４５】
確定キーが操作されると、制御部２１０は、画像形成部２２０が形成した画像に基づいて固視標Ｋの位置を演算処理によって求める。固視標Ｋ（固視点Ｐ）と中心窩Ｑとがずれている場合には、固視標Ｋと中心窩Ｑの位置が求められる。すなわち、制御部２１０は、固視標Ｋの位置を求める固視標位置検出手段と、中心窩Ｑの位置を求める中心窩位置検出手段の機能を有している。
【００４６】
固視標Ｋの位置が求められると、画像処理部２３０は、固視点である固視標Ｋを中心にしたレーザ光の照射を禁止する照射禁止区域を示す境界線像Ｌ１を形成し、この境界線像Ｌ１が図６に示すようにモニタ１１の表示画面１１Ｇに表示される。この境界線像Ｌ１内はレーザ光の照射が禁止されることになる。
【００４７】
固視標Ｋと中心窩Ｑとがずれている場合には、境界線像Ｌ１の他に、中心窩Ｑを中心にしたレーザ光の照射を禁止する照射禁止区域（照射禁止範囲）を示す境界線像Ｌ２を形成し、この境界線像Ｌ２が境界線像Ｌ１とともに図７に示すようにモニタ１１の表示画面１１Ｇに表示される。境界線像Ｌ２内もレーザ光の照射が禁止されることになる。
【００４８】
この境界線像Ｌ１，Ｌ２が示す領域の広さは予め設定されているが、その領域の広さすなわち境界線像Ｌ１，Ｌ２の径の大きさは、操作部３００の操作によって変更できるようになっている。また、変倍レンズ１２４によって変倍した場合、その変倍に応じて境界線像Ｌ１，Ｌ２の径の大きさが変わるようになっている。
【００４９】
この境界線像Ｌ１，Ｌ２内では、治療領域が設定できないように制御部２１０が制御動作する。すなわち、制御部２１０は、治療領域の設定を禁止する禁止手段（治療領域設定禁止手段）と、照射禁止区域（照射禁止範囲）内に対応した眼底に向けてレーザ光の照射を禁止する照射禁止手段としての機能を有する。
【００５０】
各境界線像Ｌ１〜Ｌ３の位置（固視位置や中心窩の位置）や大きさ等を示すデータは図示しないメモリに記憶される。
【００５１】
この後、赤外蛍光観察を行う場合、予め被検者に蛍光剤を静注しておく。
【００５２】
そして、上記の操作部を操作して赤外蛍光モードを設定する。この赤外蛍光モードにより、照明光学系１００のエキサイタフィルタ１０６が光路に挿入され、観察撮影光学系１２０のバリアフィルタ１２３が光路に挿入される。
【００５３】
エキサイタフィルタ１０６の光路への挿入により、所定波長の可視光のみが励起光として眼底Ｅｆを照明する。
【００５４】
眼底Ｅｆの血管に蛍光剤が流入してくると、その励起光により蛍光剤が赤外蛍光を発光し、この赤外蛍光は、対物レンズ１３、孔明きミラー１１２、撮影絞り１２１と、バリアフィルタ１２３、変倍レンズ１２４、リレーレンズ１２５、撮影レンズ１２６、ミラー１３４、視野レンズ１２８、ハーフミラー１３５およびリレーレンズ１３１を介してダイクロイックミラー１３６に達し、このダイクロイックミラー１３６で反射される。このダイクロイックミラー１３６で反射された赤外蛍光は撮影レンズ１３３を介して撮像装置２０の撮像素子２０ａ上に達し、この撮像素子２０ａ上に眼底像が結像される。
【００５５】
そして、図８に示すように、モニタ１１の表示画面１１Ｇに赤外蛍光による眼底像Ｅｆ″が表示される。この眼底像Ｅｆ″は、血管内に流入した蛍光剤が発光した赤外蛍光であることにより、網膜の下にある脈絡膜の像であり、このため網膜上の中心窩Ｑ（図４，５参照）や乳頭は表示画面１１Ｇに現れない。また、バリアフィルタ１２３により可視光はカットされるので固視標Ｋも表示画面１１Ｇに表示されない。
【００５６】
また、モニタ１１の表示画面１１Ｇには、メモリに記憶したデータに基づき境界線像Ｌ１や境界線像Ｌ３が眼底像Ｅｆ″上に表示される。
【００５７】
固視標Ｋと中心窩Ｑとがずれている場合には、図９に示すように、境界線像Ｌ１，Ｌ３の他に境界像Ｌ２が表示される。
【００５８】
次いで、ＬＣＤ１４０に表示された固視標Ｋと同位置に、ＬＣＤ１０９に固視標を表示させて、この固視標を被検者に視認させる。
【００５９】
これにより、図８に示す眼底像Ｅｆ″に対する境界線像Ｌ１，Ｌ３の位置は、図６に示す眼底像Ｅｆ′に対する位置と同位置となる。すなわち、図８に示す境界線像Ｌ１の中心位置に眼底Ｅｆの中心窩Ｑ（図４参照）が位置し、図８の境界線像Ｌ３が示すレーザ光の照射可能範囲と、図６の境界線像Ｌ３が示すレーザ光の照射可能範囲とが眼底Ｅｆに対して一致することになる。
【００６０】
固視標Ｋと中心窩Ｑとがずれている場合も、図９に示す境界線像Ｌ１，Ｌ２，Ｌ３と、図７に示す境界線像Ｌ１，Ｌ２，Ｌ３とが眼底像に対して同一位置に表示されることになる。すなわち、図９に示す境界線像Ｌ１の中心に眼底Ｅｆの固視点Ｐ（図５参照）が位置し、境界線像Ｌ２の中心位置に中心窩Ｑが位置する。
【００６１】
次に、検者は、図８あるいは図９に示す表示画面１１Ｇに表示される眼底像Ｅｆ″から治療部位を探してレーザ光を照射する治療領域を設定する。
【００６２】
この治療領域の設定は、モニタ１１の表示画面１１Ｇのタッチパネル１１Ｔをタッチしてその治療領域（照射領域）を設定する。この治療領域が設定されると、治療領域を示す境界線像Ｌ４が図８または図９に示すようにモニタ１１の表示画面１１Ｇの眼底像Ｅｆ″上に表示される。
【００６３】
これは、タッチパネル１１Ｔからの信号が演算制御装置２００の制御部２１０に入力され、画像処理部２３０によって境界線像Ｌ４が形成される。
【００６４】
この設定の際、モニタ１１の表示画面１１Ｇには、レーザ光の照射可能範囲を示す境界線像Ｌ３が表示されているので、レーザ光が照射されない部位を設定してしまうことを防止することができる。
【００６５】
また、治療領域が照射禁止区域を示す境界線像Ｌ１，Ｌ２内に入ってしまう場合、この境界線像Ｌ１，Ｌ２内では治療領域が設定できないようになっているので、その境界線像Ｌ１，Ｌ２内が除外されて設定される。例えば、境界線像Ｌ１，Ｌ２が入り込まないように境界線像Ｌ４の一部が湾曲されて表示される。
【００６６】
治療領域の設定が終了したら照射モードを設定する。この照射モードの設定により、演算制御装置２００は、光凝固レーザー装置１５０を駆動させてレーザ光を発振させる。また、反射ミラー１３７を実線の位置へ切り換えて光路から離脱させ、バリアフィルタ１２３を光路から離脱させる。
【００６７】
そして、操作部３００の照射開始キーを操作すると、演算制御装置２００の制御部２１０がタッチパネル１１Ｔによって設定された治療領域に基づいて、ミラー駆動機構２４１，２４２を制御する。この制御は、レーザ光が境界線像Ｌ４内の範囲だけを照射するように、水平用ガルバノミラー１４１Ａおよび垂直用ガルバノミラー１４１Ｂの回動角を制御するものである。
【００６８】
一方、光凝固レーザー装置１５０で発振されたレーザ光は光ファイバ１５２に導入され、この光ファイバ１５２に導入されたレーザ光は光ファイバ１５２の出射端面１５２ａから出射される。この出射端面１５２ａから出射されたレーザ光は、レンズ１４２、偏向ユニット１４１、ダイクロイックミラー１３６、リレーレンズ１３１、ハーフミラー１３５、視野レンズ１２８、ミラー１３４、撮影レンズ１２６、リレーレンズ１２５、変倍レンズ１２４、撮影絞り１２１、孔明きミラー１１２の孔１１２ａおよび対物レンズ１３を介して被検眼Ｅの眼底Ｅｆの治療部位を照射する。
【００６９】
制御部２１０は、タッチパネル１１Ｔによって設定された治療領域に基づいて、水平用ガルバノミラー１４１Ａおよび垂直用ガルバノミラー１４１Ｂの回動角が所定の範囲内となるようにミラー駆動機構２４１，２４２を制御して、レーザ光を境界線像Ｌ４内の範囲だけを照射させる。
【００７０】
境界線像Ｌ４内におけるレーザ光の照射パターンは、例えば一定間隔毎にドット状に照射していく。また、レーザ光の光ファイバ１５２への導入のタイミングは音響光学変調器などを使用して行う。
【００７１】
以上説明したように、赤外蛍光観察時には、眼底Ｅｆの中心窩Ｑや固視標Ｋは、図８および図９に示すようにモニタ１１の表示画面１１Ｇに現れないが、中心窩Ｑや固視点Ｐを中心にして所定の範囲の照射禁止区域を示す境界線像Ｌ１，Ｌ２が表示画面１１Ｇに表示されるので、中心窩Ｑや固視点Ｐをレーザ光で照射してしまうことを防止することができる。
【００７２】
しかも、境界線像Ｌ１，Ｌ２内は、治療領域として設定することができないようになっており、さらに、制御部２１０は、レーザ光が境界線像Ｌ１，Ｌ２内を照射しないようにミラー駆動機構２４１，２４２を制御するので、より安全性の高いレーザ治療用眼科装置１０となる。
【００７３】
上記実施例では、境界線像Ｌ１，Ｌ２内では、照射禁止区域として治療領域を設定することができないが、スイッチの切り換え操作により、その照射禁止区域を解除して表示のみを行うことができるように構成してもよい。また、境界線像Ｌ１，Ｌ２の径の大きさが被検眼Ｅの視度に応じて変わるようにしてもよい。この場合、視度（ディオプタ）がブラスになるほど境界線像Ｌ１，Ｌ２の径を大くする。
【００７４】
また、上記実施例では、眼底カメラにレーザ照射部（光凝固レーザー装置１５０，レンズ１４２，偏向ユニット１４１）を設けたレーザ治療用眼科装置１０について説明したが、必ずしもこれに限らず、例えばスリットランプに上記レーザ照射部を設けてレーザ治療用眼科装置を構成したものであってもよい。
【図面の簡単な説明】
【００７５】
【図１】この発明にかかるレーザ治療用眼科装置の構成を示した光学配置図である。
【図２】偏向ユニットの構成を示した説明図である。
【図３】レーザ治療用眼科装置の制御系の構成を示したブロック図である。
【図４】モニタの表示画面に表示される眼底像と固視標を示した説明図である。
【図５】眼底の中心窩と固視点とがずれている場合を示した眼底像の説明図である。
【図６】図４に示す眼底像に照射禁止区域を示す境界線像を表示した一例を示した説明図である。
【図７】図５に示す眼底像に照射禁止区域を示す境界線像を表示した一例を示した説明図である。
【図８】赤外蛍光による眼底像と照射禁止区域を示す境界線像を示した説明図である。
【図９】眼底の中心窩と固視点とがずれている場合における赤外蛍光による眼底像と照射禁止区域を示す境界線像を示した説明図である。
【符号の説明】
【００７６】
１０            レーザ治療用眼科装置
１１            モニタ
１００          照明光学系
１２０          観察撮影光学系（観察光学系）
１４１          偏向ユニット（偏向手段）
１５０          光凝固レーザー装置（レーザ光発振手段）
１６０          固視標投影光学系
１７０          照射光学系
２００          演算制御装置
Ｅ          被検眼
Ｅｆ          眼底
【図１】
2010148635.tif 000003
【図２】
2010148635.tif 000004
【図３】
2010148635.tif 000005
【図４】
2010148635.tif 000006
【図５】
2010148635.tif 000007
【図６】
2010148635.tif 000008
【図７】
2010148635.tif 000009
【図８】
2010148635.tif 000010
【図９】
2010148635.tif 000011